(57)【特許請求の範囲】
【請求項１】
上部に頂壁を有しており下部が粉粒体出口となされると共に、側周壁の下部に粉粒体入口が形成され、側周壁の上部又は頂壁に気体出口が形成された筒状本体と、この筒状本体内に気体出口を粉粒体入口及び粉粒体出口と画するようにして設けられた、設定の大きさの粉粒体の通過は許容せず気体の通過は許容するフィルターからなる下方拡がりのテーパー筒と、筒状本体の粉粒体出口に設けられた開閉蓋と、テーパー筒内において上下動自在となされた粉粒体押下具とを有しており、気体の流れによって粉粒体を粉粒体入口よりテーパー筒の下部に導入し、気体を気体出口より排出し、粉粒体をテーパー筒の上方に移動させてテーパー筒の上部に蓄積させ、テーパー筒の上部に蓄積した粉粒体を粉粒体押下具によって押し下げるようにした粉粒体捕集器。
【発明の詳細な説明】
【０００１】
【発明の属する技術分野】
本発明は粉粒体捕集器に関する。
【０００２】
【従来の技術】
従来、この種の粉粒体捕集器として以下の如きものは知られている。
粉粒体入口が形成された頂壁を有すると共に、下部に粉粒体出口を有する下方すぼまりのテーパー下部を有し、更に側周壁に気体出口を有する筒状本体と、この筒状本体内にそれとの間に所定間隔をあけるようして気体出口を粉粒体入口及び粉粒体出口と画するようにして設けられた、設定の大きさの粉粒体の通過は許容せず気体の通過は許容するフィルターと、筒状本体の粉粒体出口に設けられた開閉蓋とを有するものは知られている。
【０００３】
【従来の技術の作用】
以下に従来の技術の作用を説明する。
粉粒体入口に粉粒体が貯留された粉粒体貯留源（気体入口を有するもの）を接続すると共に、気体出口に気体吸引装置の吸引口を接続し、このような準備の後、開閉蓋によって粉粒体出口を閉じた後、気体吸引装置を作動すれば以下の作用が行なわれる。
粉粒体捕集器内が負圧となるので、粉粒体入口から気体と共に粉粒体が粉粒体捕集器内に流入し、気体は気体出口から出て行き、粉粒体は粉粒体捕集器内に溜められる。そして、気体吸引装置を停止させた後、開閉弁を開くことによって粉粒体捕集器内の粉粒体は粉粒体出口より排出される。
【０００４】
【従来技術の欠点】
前記従来の粉粒体捕集器には以下の如き欠点があった。
バージン原料である重量のあるペレット等（一般的に見掛け密度が大きい）は前記従来の粉粒体捕集器で捕集された後、開閉弁を開くことによって自重落下による排出が出来るが、軽量の粉粒体（この明細書で、軽量の粉粒体とは、下から上に向かう所定流速の気体内においては、その気体の流れによって上方に舞い上げられて、自重では落下しないか、又は落下しにくい粉粒体をいう。）（一般的に見掛け密度が小さい）にあっては、粉粒体入口から粉粒体捕集器内に供給された軽量の粉粒体は、気体出口に向かう気体の流れに乗ってフィルターの表面に付着・蓄積されて行く。そして、軽量の粉粒体が粉粒体捕集器に所定量溜った後、気体吸引装置を停止させて軽量の粉粒体を排出するべく開閉弁を開いても、軽量の粉粒体がフィルターの表面に付着・蓄積していることや、筒状本体の下部が下方すぼまりのテーパー下部であって壁面抵抗が大きいことのため、自重では軽量の粉粒体の確実な排出が出来ないという欠点があった。
なお、使用済の合成樹脂製品を再利用するために粉砕した再利用原料は軽量の粉粒体となることが多いので、地球環境保護の観点から使用済の合成樹脂製品の再利用を促進するためには、前記欠点の解消は不可欠のものとなっている。
【０００５】
【課題を解決するための手段】
本発明は前記欠点を解消するために以下の如き手段を採用した。
請求項１の発明は、上部に頂壁を有しており下部が粉粒体出口となされると共に、側周壁の下部に粉粒体入口が形成され、側周壁の上部又は頂壁に気体出口が形成された筒状本体と、この筒状本体内に気体出口を粉粒体入口及び粉粒体出口と画するようにして設けられた、設定の大きさの粉粒体の通過は許容せず気体の通過は許容するフィルターからなる下方拡がりのテーパー筒と、筒状本体の粉粒体出口に設けられた開閉蓋と、テーパー筒内において上下動自在となされた粉粒体押下具とを有しており、気体の流れによって粉粒体を粉粒体入口よりテーパー筒の下部に導入し、気体を気体出口より排出し、粉粒体をテーパー筒の上方に移動させてテーパー筒の上部に蓄積させ、テーパー筒の上部に蓄積した粉粒体を粉粒体押下具によって押し下げるようにしたものである。
【０００６】
【発明の効果】
本発明は前記した如き構成によって以下の如き効果を奏する。
開閉蓋を閉じた後、軽量の粉粒体を下部の粉粒体入口からテーパー筒の下部に導入し、気体を上部の気体出口から排出するようにして、軽量の粉粒体を気体の流れによってテーパー筒の上方に移動させて、軽量の粉粒体をテーパー筒の上部から順次下に向かって蓄積するようにして、軽量の粉粒体が上部ほど密で下部ほど疎になる傾向としたこと、軽量の粉粒体の分離を行なうフィルターが下方拡がりのテーパー筒であること、及び、開閉蓋を開けた後、粉粒体押下具によってテーパー筒の上部に蓄積した軽量の粉粒体を押し下げることの相乗効果によって、テーパー筒内に溜められた軽量の粉粒体を粉粒体出口より確実に排出することが出来る。
【０００７】
【発明の実施の形態】
以下に本発明の実施の形態を説明する。
粉粒体捕集器１は、上部に頂壁２を有しており下部が粉粒体出口３となされると共に、側周壁の下部に粉粒体入口４が形成され、側周壁の上部（又は頂壁２）に気体出口５が形成された筒状本体７と、この筒状本体７内に気体出口５を粉粒体入口４及び粉粒体出口３と画するようにして設けられた、設定の大きさの粉粒体の通過は許容せず気体の通過は許容するフィルターからなる下方拡がりのテーパー筒８と、筒状本体７の粉粒体出口３に設けられた開閉蓋１１と、テーパー筒８内において上下動自在に設けられた任意形状の粉粒体押下具１２とを有している。
【０００８】
前記頂壁２には流体圧シリンダ１５の本体が軸心を上下方向に向けるようにして取り付けられ。この流体圧シリンダ１５のロッド１６は頂壁２の開口を通じてテーパー筒８内に臨んでおり、このロッド１６の端に粉粒体押下具１２が取り付けられている。
【０００９】
前記筒状本体７の下部には粉粒体出口３より大径の囲い筒１９が設けられ、この囲い筒１９に所要個のブラケット２０が設けられ、これらブラケット２０に回転軸２１が回転自在に嵌められ、この回転軸２１に接続片２２を介して開閉蓋１１が固定されている。前記回転軸２１の一端は囲い筒１９を貫通して外部に露出しており、この露出端部にアーム（図示略）が固定され、このアームを公知の作動装置（図示略）によって揺動させることにより、開閉蓋１１は回転軸２１を中心として揺動開閉自在となされている。
【００１０】
【発明の実施の形態の作用】
次に発明の実施の形態の作用を説明する。
粉粒体入口４に軽量の粉粒体が貯留された粉粒体貯留源（気体入口を有するもの）を接続すると共に、気体出口５に気体吸引装置（図示略）の吸引口を接続し、このような準備の後、開閉蓋１１によって粉粒体出口３を閉じた後、気体吸引装置（図示略）を作動すれば以下の作用が行なわれる。
粉粒体捕集器１内が負圧となるので、粉粒体入口４から気体と共に軽量の粉粒体が粉粒体捕集器１内に流入し、気体は気体出口５から出て行く。
そして、軽量の粉粒体は下から上に向かう気体の流れによってテーパー筒８の上部に舞い上げられ、そこで相互に密着状態となって、テーパー筒８の上部から順次下に向かって蓄積されていく。
そして、軽量の粉粒体が粉粒体入口４より上の所定位置まで溜ると、気体吸引装置（図示略）を停止させた後、開閉蓋１１を開き、その後、粉粒体押下具１２を押し下げて溜った軽量の粉粒体を下側に押すことによって、テーパー筒８内の軽量の粉粒体を粉粒体出口３より排出する。
【００１１】
【変形例等】
以下に変形例等について説明を加える。
（１）粉粒体には、粉体・粒体・微小薄片・短繊維片等が含まれる。
（２）開閉蓋１１は水平動するシャッターのようなものであってよい。
（３）フィルターは、要するに設定の大きさの粉粒体の通過は許容せず気体の通過は許容するものであればよい。即ち、フィルターには多孔板や網も含まれるものである。
（４）筒状本体７及びテーパー筒８の水平断面は一般的には円形であるが、それに限定されず、例えば矩形であってもよい。
（５）開閉蓋１１及び粉粒体押下具１２の作動装置は公知の任意のものを使用することが出来る。
【図面の簡単な説明】
【図１】本発明の実施の形態を示す要部断面図である。
【符号の説明】
１  粉粒体捕集器
２  頂壁
３  粉粒体出口
４  粉粒体入口
５  気体出口
７  筒状本体
８  テーパー筒
１１  開閉蓋
１２  粉粒体押下具
【図１】
0004309513.tif 000002